(57)【要約】【課題】内部にスライドする収納部をさらに有する、多重構造の引出式キッチン収納庫において、内引出に収納される被収納物と、外引出前板の内側に収納される被収納物とが干渉せず、効率的に収納スペースを活用する。【解決手段】キッチンに配置される多段収納庫２００は、引き出される方向の端縁の一部が後退している後退部５００を有する内引出２３０と、内引出２３０の下に位置する底板２４０、および、少なくとも内引出２３０を超える高さまで延伸する前板２５０を有する外引出３００とを含み、内引出２３０および外引出３００はそれぞれスライドし、内引出２３０および外引出３００の位置に拘らず、それらが重なっている限り、内引出２３０の後退部５００から、後退部５００の下方に位置する外引出３００の底板まで、連続する吹抜空間５４０が存在することを特徴とする。【選択図】図３
2009011396.tif 000002
【特許請求の範囲】
【請求項１】
キッチンに配置されるキッチン収納庫において、
引き出される方向の端縁の一部が後退している後退部を有する内引出と、
前記内引出の下に位置する底板、および、少なくとも内引出の上端に達する高さまで延伸する前板を有する外引出とを含み、
前記内引出および外引出はそれぞれスライドし、
前記内引出の後退部から、該後退部の下方に位置する外引出の底板まで、連続する吹抜空間が形成されることを特徴とするキッチン収納庫。
【請求項２】
前記外引出と内引出とが最も近接したときにも、該内引出の後退部から、該後退部の下方に位置する外引出の底板まで、連続する吹抜空間が形成されることを特徴とする請求項１に記載のキッチン収納庫。
【請求項３】
前記外引出は、長尺状の被収納物を、前記吹抜空間を連通させて収納可能なホルダを有することを特徴とする請求項１または２に記載のキッチン収納庫。
【請求項４】
前記ホルダは、前記外引出の前板の内側であって、前記内引出の後退部と対面する位置に配置されていることを特徴とする請求項３に記載のキッチン収納庫。
【請求項５】
前記ホルダは、前記外引出と内引出とが最も近接したときに前記後退部の下方に位置する、外引出の底板に配置されていることを特徴とする請求項３に記載のキッチン収納庫。
【発明の詳細な説明】
【技術分野】
【０００１】
本発明は、キッチンに配置される引出式の収納庫であって、外引出の内部に内引出が設けられた多重構造のキッチン収納庫に関するものである。
【背景技術】
【０００２】
キッチンで使用される調理器具には、ボールやざる、長手の形状を有する杓子類（レードル）、長箸、ラップ、調味料などの小物類、包丁など、様々なものがある。
【０００３】
これらの調理器具を収納するために、従来から、キッチンの下に開き戸や引出などの収納部を設けたり、吊戸棚などの収納部を設けたりしていた。また、上述のように様々な形状、大きさの調理器具や調味料を効率的に収納するため、従来から様々な工夫がなされている。例えば特許文献１のように、食品、調味料等の瓶詰め又は缶詰容器や、小型食器、小型調理具等を、キッチンの引出の前板の内側に収納する技術が開示されている。
【０００４】
また、例えば特許文献２のように、キッチンキャビネットの外引出の内部に内引出が設けられ、それらが互いに自在にスライド可能な多重構造であるとともに、外引出は、外引出と内引出との間に、縦置きした状態で菜箸やレードル類を収納可能な高さを有している。
【特許文献１】特開２００６−２０４４６２号公報
【特許文献２】特開２００６−２３０６７６号公報
【発明の開示】
【発明が解決しようとする課題】
【０００５】
近年増加している全開放型の対面式オープンキッチンの場合、調理器具を吊るしたり収納棚を設けたりする壁がキッチン使用者の前方になく、収納スペースがより限定的になっている。そのため、とりわけ効率的に調理器具等を収納することが必要とされている。例えば天井に固定して設置された収納戸棚を活用することも考えられるが、天井に収納戸棚を吊り下げるための躯体（梁）が必要となって、施工費用がかさむ。さりとて、使用後の調理器具をキッチン上に載置したままでは見栄えが悪い。
【０００６】
そこでシンクの下の引出式の収納庫に調理器具等を収納することが考えられる。しかし、特許文献１のような技術では、ある程度変化に富んだ形状の調理器具や調味料を収納できると思われるが、引出前板の内側に設けられた収納構造と、引出のさらに内側に設けられる収納構造との関係は明らかになっていない。
【０００７】
一方、特許文献２のような多重構造の引出を利用する技術であれば、収納スペースは広く確保できるものの、様々な調理器具の形状や大きさに応じた適切な収納場所を確保して効率的な収納を行うには十分なものとは言いがたい。また、レードル類の収納と、引出への収納とをいかにして両立させるかという点についても何ら考慮されていない。
【０００８】
通常、多重構造のキッチン収納庫の外引出の内側に収納構造を設けた場合、この収納構造によって、内引出は後方へ追いやられ、内引出が占有できる収納スペースが侵食されてしまう。本願発明者らは、常々、このことを問題視していた。
【０００９】
本発明はこのような課題に鑑み、キッチンに配置され、外引出の内部に内引出をさらに有する、多重構造の引出式のキッチン収納庫において、外引出の前板の内側に収納構造を設け、その収納構造によって侵食される内引出の収納スペースを最小限にしつつ、外引出および内引出にそれぞれ収納される被収納物が干渉しない、効率的な収納を実現するキッチン収納庫を提供することを目的とする。
【課題を解決するための手段】
【００１０】
上述の課題を解決するために、本発明の代表的な構成によれば、キッチンに配置されるキッチン収納庫において、引き出される方向の端縁の一部が後退している後退部を有する内引出と、内引出の下に位置する底板、および、少なくとも内引出の上端に達する高さまで延伸する前板を有する外引出とを含み、内引出および外引出はそれぞれスライドし、内引出の後退部から、後退部の下方に位置する外引出の底板まで、連続する吹抜空間が形成されることを特徴とする。
【００１１】
上記の構成によれば、後退部以外の端縁は、侵食されず、内引出としての収納機能を損なっていないため、侵食される内引出の収納スペースは最小限に低減されている。しかも、内引出の後退部は、内引出としての収納ができなくなるだけであり、後述のように、吹抜空間を通した収納スペースとして利用されるため、全く無駄にならない。
【００１２】
上記の構成において、内引出および外引出の位置に拘らず、それらが重なっている限り、吹抜空間が形成される。
【００１３】
そして、外引出と内引出とが最も近接したときにも、内引出の後退部から、後退部の下方に位置する外引出の底板まで、連続する吹抜空間が形成される。
【００１４】
このときに形成される吹抜空間は、内引出がいかなる位置にあっても、干渉されない。したがって、この吹抜空間を通して、被収納物を収納可能である。
【００１５】
外引出は、長尺状の被収納物を、吹抜空間を連通させて収納可能なホルダを有するとよい。菜箸や杓子など、いわゆる長尺者の被収納物を立てた状態で収納可能であるから、目的の被収納物を探しやすく、また取り出しやすいからである。
【００１６】
上記のホルダは、外引出の前板の内側であって、内引出の後退部と対面する位置に配置されているとよい。
【００１７】
あるいは、上記のホルダは、外引出と内引出とが最も近接したときに後退部の下方に位置する、外引出の底板に配置されていてもよい。
【００１８】
いずれのホルダも、外引出と内引出とが最も近接したときに形成される吹抜空間に被収納物を収納可能である。
【００１９】
ホルダは、かかる位置にあれば、吹抜空間を鉛直に投影した空間に配置されていることになるため、ホルダによって保持される被収納物だけでなく、ホルダ自体も、確実に内引出と干渉せずに済む。
【発明の効果】
【００２０】
本発明によれば、キッチンに配置され、外引出の内部に内引出をさらに有する、多重構造の引出式のキッチン収納庫において、外引出の前板の内側に収納構造を設け、その収納構造によって侵食される内引出の収納スペースを最小限に低減しつつ、外引出および内引出にそれぞれ収納される被収納物が干渉しない、効率的な収納が実現される。
【発明を実施するための最良の形態】
【００２１】
次に添付図面を参照して本発明によるキッチン収納庫の実施形態を詳細に説明する。図中、本発明に直接関係のない要素は図示を省略する。また、同様の要素は同一の参照符号によって表示する。
【００２２】
図１は、本発明によるキッチン収納庫の実施形態である多段収納庫が格納されるキッチンの外観図であり、図２は図１のキッチンの斜視図である。キッチン１００はいわゆる対面式のオープンシステムキッチンであり、調理器具を吊るしたり収納棚を設けたりする壁がキッチン使用者の前方になく、とりわけ効率的に調理器具等を収納することが必要とされている。
【００２３】
キッチン１００はコンロ１１０が設置されているコンロキャビネット１２０と、水栓１３０およびシンク１４０が設置されているシンクキャビネット１５０と、調理スペース１６０が設けられていて食器洗い機等を収容可能なベースキャビネット１７０との３つのキャビネットで構成されている。
【００２４】
図２に示すとおり、キッチン１００はコンロ１１０、シンク１４０および調理スペース１６０が隣接していて無駄なスペースを極力排した構成となっている。
【００２５】
本発明によるキッチン収納庫の実施形態である多段収納庫２００は、取っ手１８０が取り付けられた引き出し式の収納庫である。なお多段収納庫２００の下には床面にほぼ接する足下収納庫２１０が配置されている。
【００２６】
図２に示すように、多段収納庫２００は、キッチン１００のシンク１４０の下に配置されている。これはシンク１４０にて用いられる調理器具や調味料を取り出しやすいからである。しかし、多段収納庫２００は他の位置に設けてもよく、例えば調理スペース１６０を設けたベースキャビネット１７０内に設けてもよい。
【００２７】
図３は図２の多段収納庫を引き出した状態を示す図である。多段収納庫２００は、平板状の載置スペースを有する網棚２２０と、網棚２２０の下に位置し、引き出される方向に端縁の一部が後退している後退部５００が形成されたトレイ状の内引出２３０と、内引出２３０の下に位置する底板２４０、および、内引出２３０を超える高さまで延伸する前板２５０を有する外引出３００とを含む３重の構成を有する。
【００２８】
本実施形態の特徴は、内引出２３０および外引出３００の位置に拘らず、内引出２３０の後退部５００から、後退部５００の下方に位置する外引出３００の底板まで、連続する吹抜空間５４０（図３の斜線部）が形成されることである。これについては、後に詳述する。
【００２９】
平板状の載置スペースを有する網棚２２０（上段）は、典型的にはまな板３１０や、その他、盆、バット、ケーキクーラなどの平板状の被収納物の収納を行う。上述の後退部５００が形成された略Ｈ型の形状を有する、トレイ状の内引出２３０（中段）は、中央の小物トレイ３４０にフォーク３５０やスプーン３６０や調味料（図示しない）などの小物を収納し、それらの両側に配置されているもののうち、包丁差し３２０には包丁３３０を収納し、ラップトレイ３７０にはラップ類３８０を収納する。このように、各収納部がそれぞれ計画性のある効率的な収納を実現している。
【００３０】
図４は図２の多段収納庫を引き出した状態を別の角度から見た図である。シンク１４０およびシンク１４０との境界をなす天板は、理解を容易にするため、図示を省略して内部構造を明示したものである。
【００３１】
また、内引出２３０は、収納された状態では外引出３００に設けられたカバー８００の上に載置されていて、外引出３００と内引出２３０とが一体的に引き出される。さらに、多段収納庫２００には、内引出２３０が、引き出された外引出３００から独立して多段収納庫２００に引き戻される際に載置されるレールを備えていて、内引出は、多段収納庫２００に備えたレールならびに外引出に備えたカバーの上を走行して多段収納庫２００内に引き戻される。
【００３２】
このように、内引出２３０は、外引出３００と一体的に引き出されて使用頻度の高い被収納物をすぐに取り出せ、使い勝手がよい。また、外引出３００の収納部から物を取り出すときには、内引出２３０だけを多段収納庫２００の中に引き戻すことができる。
【００３３】
このようなオールインワンの３重構成により、１箇所の外引出３００（下段）を開けさえすれば、網棚２２０（上段）および内引出２３０（中段）も出現し、ほとんどすべての被収納物が一目瞭然になり、目的の被収納物を発見しやすい。
【００３４】
また、多段収納庫２００は、図４に示すように、網棚２２０を独立してスライドさせる１組のレール４００に加えて、内引出２３０および外引出３００をそれぞれ独立してスライドさせる２組のレール４１０、４２０を含むことを特徴とする。なお図４では見えていないため図示していないが、他方の側にもレール４００、４１０、４２０が設けられていることはいうまでもない。
【００３５】
このように、網棚２２０、内引出２３０、外引出３００から成る３重の収納部は、レール４００、４１０、４２０によって、それぞれ独立にスライド可能であるため、網棚２２０や内引出２３０を自由にスライドさせることによって、容易に被収納物の取り出しを行うことができ、使い勝手がよい。
【００３６】
図４にも示すように、多段収納庫２００のうち、上述の内引出２３０には、内引出２３０が引き出される方向に、略Ｈ型の内引出２３０の一部をなす後退部５００が形成され、さらに、外引出３００の前板２５０の内側に杓子類（レードル）５１０を立てた状態で固定可能な杓子類固定具、すなわち調理小物ホルダ５２０をさらに含む。すなわち、この調理小物ホルダ５２０は、吹抜空間５４０を通して内引出２３０の上下にわたって収納される被収納物を保持可能である。
【００３７】
菜箸や杓子類など、いわゆる長尺者の被収納物は、いずれかの引出の内部に、寝かせた状態で収納することもできる。しかし、仮に引出の奥行きや幅が足りない場合、収納は不能であるし、収納可能な寸法を確保できたとしても、寝かせた状態で収納した長尺者は、同種の長尺者を複数収納している場合はとくに、目的の長尺者を取り出すのが容易でない。例えば箸という同種の被収納物を同一の引出に寝かせた状態で収納していた場合、目的の箸を取り出すのは煩雑である。
【００３８】
その点、本実施形態では、上記の調理小物ホルダ５２０により、長尺者の被収納物を立てた状態で収納可能であるから、目的の被収納物を探しやすく、また取り出しやすい。
【００３９】
このように、少なくとも内引出の上端に達する高さまで延伸し、本実施形態では多段収納庫２００の上端（図９（ｃ）に示す高さＨ）まで延伸する前板２５０を有する外引出３００（下段）の前板２５０には、杓子類５１０の収納が計画されていて、他の段と同様に計画性のある収納を実現している。
【００４０】
なお本願で言う「杓子類」とは、お玉杓子等のほか、しゃもじ、トング、菜箸など、長手の形状を有するあらゆる調理器具を含めてよい。
【００４１】
図４に示すように、杓子類固定具５２０の下方の、外引出３００の前板２５０の裏面には、外引出と多段収納庫２００との衝撃を緩和する緩衝板７００が設けられている。これにより、外引出３００の収納時に多段収納庫２００と接触する部分の衝撃が緩和されるからである。
【００４２】
図５は図３および図４に示した調理小物ホルダの斜視図である。調理小物ホルダ５２０は、前板２５０に水平方向に配列された複数の弾性部材から成るホルダ部５２２を含み、隣接するホルダ部５２２の間には、杓子類５１０の軸部５２４を挟持することにより杓子類５１０を固定する溝５２６が形成されている。
【００４３】
図６は図５の調理小物ホルダの三面図であり、（ａ）は平面図、（ｂ）は正面図、（ｃ）は右側面図である。調理小物ホルダ５２０を構成する各ホルダ部５２２は、樹脂などの長尺状の弾性体、例えばポリエステルエラストマーを屈曲させた略Ｕ字形である。ホルダ部５２２は、その両端部を外引出３００の前板２５０に向け、上方から見て略Ｕ字形となる姿勢で互いに隣接配置される。これによって、隣接するホルダ部５２２間に溝５２６が形成されている。
【００４４】
本実施形態では、ホルダ部５２２の両端部は、鉄線材であるガイド５２８に嵌合させている。ガイド５２８は、図６（ａ）に示すように、水平方向に平行に走っている２本の鉄線（図６（ａ）では１本しか見えていない）と、それら鉄線を、図６（ｃ）に示すように、両端部にて、外引出３００が引き戻される方向に突出させたうえで鉛直方向の鉄線で結合した形状を有している。
【００４５】
図６（ａ）に示すように、ガイド５２８のうち、２本の平行に走っている鉄線部分に、各ホルダ部５２２は嵌合している。図６（ｃ）に示すように、側面から見ると、ホルダ部５２２は、略長方形の側面の途中に湾曲して切り欠かれた部分を有し、ここにガイド５２８の２本の平行な鉄線材を通してガイド５２８に固定されている。
【００４６】
そして、図６（ｂ）に示すように、ガイド５２８の２本の平行鉄線部分には、両端と中央の計３箇所にポリエチレン製のガイド止め５３０が設けられている。調理小物ホルダ５２０は、ガイド止め５３０のネジ孔５３２を通して前板２５０の内側にネジ固定されている。
【００４７】
このようにＵ字形ホルダ部５２２を隣接配置することにより、Ｕ字形ホルダ部５２２の両端を、外引出３００の前板２５０に対する固定部として用いる一方、隣接しているＵ字形に湾曲した部分の間には、上述の溝５２６が形成されている。
【００４８】
図６（ａ）に示すように、隣接するホルダ部５２２間に形成される溝５２６は楔形となっている。かかる楔形の溝５２６の幅広の部分からは杓子類５１０を容易に進入させることができ、押し込むにしたがって、溝５２６の先細りの部分によって杓子類５１０に加えられる圧力が増加し、杓子類５１０が溝５２６の間で固定維持される。
【００４９】
図７は図５の調理小物ホルダに杓子類を固定した状態を示す図である。図７に示すように、調理小物ホルダ５２０によれば、杓子類５１０の軸部５２４を上記の溝５２６に押し込むことで、簡易に杓子類５１０を固定可能である。
【００５０】
図８は図４に示した多段収納庫をキッチン内に収納した収納状態を示す図である。外引出３００を閉めれば、網棚２２０および内引出２３０も前板２５０に押されてシンク１４０の下方のスペース内に収納される。
【００５１】
このように多段収納庫２００がキッチン１００内に収納されることにより、内引出２３０が最も外引出３００に接近しても、杓子類５１０は、内引出２３０と干渉することなく、自由に収納・取り出しが可能である。その構成について、以下、詳細に説明する。
【００５２】
図９は図２のキッチンの図であり、（ａ）は平面図、（ｂ）はＡ−Ａ断面図、（ｃ）はＢ−Ｂ断面図および（ｄ）はＣ−Ｃ断面図を示す。図９（ｃ）に示すように、前板２５０は、多段収納庫２００の上端（高さＨ）まで延伸しているため、外引出３００は、必然的に、網棚２２０および内引出２３０のストッパの役目を果たし、網棚２２０および内引出２３０は、外引出３００の内側でしかスライドしない。
【００５３】
上記のように、内引出２３０のスライド範囲が外引出３００の内側に制限される一方、図９（ｂ）に示すように、調理小物ホルダ５２０は、外引出３００の前板２５０の内側であって、内引出２３０の後退部５００と対面する位置に配置されている。
【００５４】
あるいは、図示しないが、調理小物ホルダ５２０は、外引出３００と内引出２３０とが最も近接したときに５００の下方に位置する、外引出３００の底板２４０に配置されていてもよい。
【００５５】
いずれの調理小物ホルダ５２０も、外引出３００と内引出２３０とが最も近接したときに形成される吹抜空間５４０に被収納物を収納可能である。
【００５６】
ホルダ５２０は、かかる位置にあるため、吹抜空間５４０を鉛直方向に投影した空間に配置され、ホルダ５２０によって保持される被収納物だけでなく、ホルダ５２０自体も、確実に内引出２３０と干渉せずに済む。
【００５７】
ただし、ホルダ５２０は、内引出２３０との干渉を回避できる位置であれば、いかなる位置にあってもよい。
【００５８】
上述の構成によれば、既に図３にも示したように、内引出２３０および外引出３００の位置に拘らず、それらが重なっている限り、内引出２３０の後退部５００から、後退部５００の下方に位置する外引出３００の底板まで、連続する吹抜空間５４０（図９（ｂ）の斜線部）が存在する。
【００５９】
そして、外引出３００と内引出２３０とが最も近接したときにも、内引出２３０の５００から、５００の下方に位置する外引出３００の底板２４０まで、連続する吹抜空間５４０が形成される。
【００６０】
このときに形成される吹抜空間５４０は、内引出２３０がいかなる位置にあっても、干渉されない。したがって、この吹抜空間５４０を通して、被収納物を収納可能である。
【００６１】
既に述べたように、内引出２３０は、それより高い位置まで延伸する外引出３００の前板２５０に阻まれるため、前板２５０を越えてさらに外側に向かってスライドすることはできない。すなわち、内引出２３０のスライド範囲は、外引出３００の内側に限定されている。
【００６２】
かかる構造の収納庫の場合、通常、内引出が限界まで引き出され、内外の引出が最も近接しているときは、内引出は、外引出の収納スペースを上下に分割遮断してしまう。しかし本実施形態によれば、外引出３００と内引出２３０とが最も近接するとき（図９（ｂ）に示す状態）であっても、外引出３００の前板２５０と内引出２３０の後退部５００とで区画される領域には、吹抜空間５４０が存在する。吹抜空間５４０だけは、いついかなる場合も、内引出２３０の上下の空間を繋いでいる。
【００６３】
したがって、吹抜空間５４０を通して被収納物を収納すれば、被収納物は、内引出２３０がいかなる位置にあっても、内引出２３０に干渉されない。このように、内引出２３０を吹抜式に貫通して、外引出３００の前板２５０の高さまでの被収納物を収納可能である。
【００６４】
なお、本実施形態では内引出２３０は１個であるが、複数の内引出を上下に重ねて設け、それら複数の内引出をすべて貫通する吹抜空間を構成してもよい。
【００６５】
外引出の前板２５０の内側に収納された杓子類５１０は、内引出２３０の後退部５００を通過する位置関係にあるため、外引出３００とは独立にスライド可能な内引出２３０が外引出３００に最も接近しても、内引出２３０と干渉することなく収納・取り出しが可能である。すなわち、内引出２３０および外引出３００のスライドに拘らず、内引出に杓子類５１０は接触しない。
【００６６】
上記のように、内引出２３０が外引出３００に最も接近するとき、内引出２３０の後退部５００以外の端縁は、外引出３００の前板２５０にほぼ到達する位置まで、スライドしている。
【００６７】
外引出３００は、長尺状の被収納物を、吹抜空間５４０を連通させて収納可能な調理小物ホルダ５２０を有する。菜箸や杓子など、いわゆる長尺者の被収納物を立てた状態で収納可能であるから、目的の被収納物を探しやすく、また取り出しやすいからである。
【００６８】
本実施形態における調理小物ホルダ５２０のように、多重構造の収納庫の外引出の前板の内側に収納構造を設けた場合、何ら工夫がなければ、この収納構造によって、通常、内引出は後方へ追いやられ、前板にほぼ到達するような位置までスライドすることはできない。言い換えれば、内引出が占有できる収納スペースは、侵食されてしまっている。
【００６９】
しかし本実施形態によれば、調理小物ホルダ５２０は、内引出２３０の後退部５００によって形成される吹抜空間５４０を通して、調理小物（被収納物）を収納している。したがって、内引出２３０のうち、侵食されているのは後退部５００のみであり、その他の部分は、前方に突出していて、包丁差し３２０やラップトレイ３７０として、有効に利用されている。
【００７０】
このように、内引出２３０の後退部５００以外の端縁は、後方へ追いやられることなく、外引出３００の前板２５０ぎりぎりの位置までスライド可能である。言い換えれば、内引出２３０の収納スペースの侵食は最低限まで低減されている。しかも、侵食された内引出２３０の後退部５００も、内引出２３０としての収納ができなくなるだけであり、吹抜空間５４０を通した収納スペースとして利用されるため、全く無駄にならない。
【００７１】
なお、内引出２３０はそれが引き出される方向に後退部５００を設けていればよいため、本実施形態のように略Ｈ型でなくてもよく、例えば引き戻される側を平坦にした略コの字型としてもよい。
【００７２】
また、本実施形態では、内引出２３０が略Ｈ型であることから分かるように、引き出される方向の端縁の中央に、後退部５００が設けられている。しかし、後退部５００が設けられる位置は端縁の中央に限られない。
【００７３】
図１０は図９（ｂ）に示す後退部のバリエーションを示す模式図である。図１０（ａ）は本実施形態の後退部５００に相当するものを示す。一方、図１０（ｂ）は、幅方向に偏った後退部５０４を有する内引出２３４を示す。かかる偏りの方向は左右いずれの方向もあり得ることは言うまでもない。図１０（ｂ）の場合、吹抜空間５４４は、外引出３００の前板２５０と、内引出２３４の後退部５０４と、外引出３００の側板５５０とで区画される領域に存在することとなる。
【００７４】
また、図１０（ｃ）は、さらに他の後退部のバリエーションを示す模式図であり、この場合、内引出２３６は、外引出３００の幅の一部しか占めていない。後退部５０６は内引出２３６の中央に設けられているが、図１０（ｂ）のように偏った位置に設けてもよいことは言うまでもない。このような小型の内引出２３６は、外引出３００の内部に幅方向に並列に設け、各々が独立してスライドする構成としてもよい。
【００７５】
さらに、後退部５００等の形状は、本実施形態では矩形であるが、被収納物やその他、いかなる形状にしてもよいことは言うまでもない。
【００７６】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００７７】
本発明は、キッチンに配置され、外引出式であり、内部にスライドする収納部をさらに有する、多重構造のキッチン収納庫に適用可能である。
【図面の簡単な説明】
【００７８】
【図１】本発明によるキッチン収納庫の実施形態である多段収納庫が格納されるキッチンの外観図である。
【図２】図１のキッチンの斜視図である。
【図３】図２の多段収納庫を開いた状態を示す図である。
【図４】図２の多段収納庫を引き出した状態を別の角度から見た図である。
【図５】図３および図４に示した調理小物ホルダの斜視図である。
【図６】図５の調理小物ホルダの三面図である。
【図７】図５の調理小物ホルダに杓子類を固定した状態を示す図である。
【図８】図４の多段収納庫をキッチン内に収納した収納状態を示す図である。
【図９】図２のキッチンの平面図、平断面図、正断面図および側断面図を示す図である。
【図１０】図９（ｂ）に示す後退部のバリエーションを示す模式図である。
【符号の説明】
【００７９】
１００  キッチン
１４０  シンク
２００  多段収納庫
２２０  網棚
２３０、２３４、２３６  内引出
３００  外引出
４００、４１０、４２０  レール
３１０  まな板
５００、５０４、５０６  後退部
５１０  杓子類
５２０  調理小物ホルダ
７００  緩衝板
【図１】
2009011396.tif 000003
【図２】
2009011396.tif 000004
【図３】
2009011396.tif 000005
【図４】
2009011396.tif 000006
【図５】
2009011396.tif 000007
【図６】
2009011396.tif 000008
【図７】
2009011396.tif 000009
【図８】
2009011396.tif 000010
【図９】
2009011396.tif 000011
【図１０】
2009011396.tif 000012